(57)【要約】【課題】  ＷＤＭ装置に、映像・音声・エンターテインメント配信に最適な機能と追加付加価値を容易にアドオンできるドロップ・アンド・コンティニュー装置を提供する。【解決手段】  ヘッドエンド局（８２）側からの光信号から所望の波長の光信号を分岐する分波器（８３１）と次段の波長分割多重装置に光信号を供給する合波器（８３２）とを備えた波長分割多重装置（８３）と、エンドユーザに信号を供給する信号変換器（８５）との間に設けられたドロップ・アンド・コンティニュー装置（８４）は、分波器により分岐された光信号を電気信号に変換する光受信機（８４１）と、該電気信号を信号変換器（８５）を介してエンドユーザに伝送する送信機（８４４）と、合波器（８３２）に光信号を供給する光送信機（８４５）と、光受信機から出力された電気信号を光送信機にループバックさせるループバック処理部（８４２）とを備えている。【選択図】      図８
2006287618.tif 000002
【特許請求の範囲】
【請求項１】
ヘッドエンド局側の波長分割多重装置からの光信号から所望の波長の光信号を分岐する分波器と次段の波長分割多重装置に光信号を供給する合波器とを備えた波長分割多重装置と、エンドユーザにデータ及び信号を供給する信号変換器との間に設けられたドロップ・アンド・コンティニュー装置であって、
前記分波器により分岐された光信号を電気信号に変換する光受信機と、該電気信号を前記信号変換器を介してエンドユーザに電気信号及び光信号のいずれかで伝送する送信機と、前記合波器に光信号を供給する光送信機と、前記光受信機から出力された電気信号を前記光送信機にループバックさせるループバック処理部とを備えていることを特徴とするドロップ・アンド・コンティニュー装置。
【請求項２】
前記光送信機は波長変換手段を備えており、それにより、前記光受信機が受信した光信号の波長と異なる波長の光信号を前記合波器に供給することを特徴とする、請求項１に記載のドロップ・アンド・コンティニュー装置。
【請求項３】
前記ドロップ・アンド・コンティニュー装置は、前記光送信機及び前記送信機と前記波長分割多重装置との間での信号の送受信を可能とするＣＰＵインターフェースを具備し、それにより前記ヘッドエンド局側の波長分割多重装置から前記ドロップ・アンド・コンティニュー装置を遠隔制御可能にしたことを特徴とする、請求項１に記載のドロップ・アンド・コンティニュー装置。
【発明の詳細な説明】
【技術分野】
【０００１】
本発明はＤｍｕｘ／Ｍｕｘ型波長分割多重（ＷＤＭ）装置に、映像・音声・エンターテインメント配信に最適な機能と追加付加価値を容易にアドオンできるドロップ・アンド・コンティニュー装置に関する。
【背景技術】
【０００２】
図１は多数のケーブルテレビ局を運営するＭＳＯ(Multi Service operator)や、ケーブルテレビ会社などが提供する映像・音声・エンターテイメントサービスを実現するケーブルテレビ、ビデオ配信ネットワークの概要を説明する図である。同図において、１はテレビ放送局のアンテナ、１２はヘッドエンド局、１３〜１５はディストリビュート局、１６はＩＰネットワーク、１７はテールエンド局である。ヘッドエンド局１２は、アンテナ１からの電波を受けて、配下のディストリビュート局１３〜１５にテレビジョン信号を送信するＣＡＴＶ配信サーバ１２１及びＩＰネットワーク１６にビデオ信号を送信するビデオ配信サーバ１２２を備えている。ヘッドエンド局１２には、ＭＳＯ(Multi Service operator)や、ケーブルテレビ会社などがある。テールエンド局１７はこの配信ネットワークの最終段に位置する。
【０００３】
各ディストリビュート局、例えば、ディストリビュート局１３は、入力信号を次段のディストリビュート局１４又はテールエンド局に引き渡すとともに、そのディストリビュート局１３の配下のエンドユーザ１３３にも入力信号を引き渡すための伝送装置１３１と、伝送装置１３１から出力された信号やデータをエンドユーザが使用可能な信号やデータに変換する信号変換機、例えば、直交振幅変調器（ＱＡＭ）１３２とを備えている。テールエンド局１７も伝送装置１７１と直交振幅変調器（ＱＡＭ）１７２とを備えている。
【０００４】
エンドユーザに提供される媒体（例えば、テレビプログラムなど）は、ヘッドエンド局１２内のＣＡＴＶ配信サーバ１２１から各ディストリビュート局を経由してエンドユーザへと送信される。各エンドユーザが受け取るテレビプログラム等の媒体は同一のものである。従って、一度の配信で、同時に、各エンドユーザに効率よく、また均一のサービスの質を提供することが、ＭＳＯ(Multi Service operator)や、ケーブルテレビ会社にとって非常に、重要なことである。
【０００５】
図２は上記のサービスを提供するために各ディストリビュート局が持つべきドロップ・アンド・コンティニュー機能の説明図である。同図において、ディストリビュート局１３は、受け取ったデータＡを、エンドユーザ側にドロップし、且つ同じデータＡを次のノードへと転送するドロップ・アンド・コンティニュー機能を有することが強く要望される。
【０００６】
また、このようなアプリケーションでは、エンドユーザからヘッドエンド局やディストリビュート局への配信はありえず（最近開始されたオン・デマンド・サービス以外の通常サービスでは全く不要である。）一方通行のネットワークともいえる。従って、高価なバックボーン設備は、サービスの提供用としてのみ使い、エンドユーザからの配信はＩＰネットワーク１６などが使われ設備投資を節減することが多い。
【０００７】
図３は図２に示したドロップ・アンド・コンティニュー機能の実現のために、最近主流となってきたメトロＷＤＭを使ったケーブルテレビ、ビデオ配信ネットワークリングネットワークの概略構成を示すブロック図である。同図において、３１はＷＤＭ３１１とサーバ３１２を備えるヘッドエンド局、３２はＷＤＭ３１１からのＷＤＭ多重信号を例えばギガビットイーサネット（登録商標）（ＧｂＥ）で直交振幅変調器（ＱＡＭ）３２２に引き渡すＷＤＭである。ディストリビュート局３３ディストリビュート局３２と同じ構成を有する。ディストリビュート局３３の出力は、いくつかのディストリビュート局を経由してヘッドエンド局のＷＤＭ３１１に戻る。
【０００８】
図３に示した従来のシステムは、データの中身を気にせず、光レベルで多重し、転送できるというＷＤＭの透過性を利用して、このバックボーンネットワークを、音声（電話）や、データサービスなどの複数アプリケーションに共有することを可能とし、ＭＳＯやケーブル会社が提供できるサービスを効率的に増やすことを目的としている。
【０００９】
ところが、その結果、原点である配信サービスにとって重要なドロップ・アンド・コンティニュー機能の実現が容易ではなくなった。新世代ＷＤＭと呼ばれるリコンフィギュラブル・スイッチ（reconfigurable SW）を内臓した高価なＷＤＭでは実現可能であるが、既に既設・採用されているＭｕｘ／Ｄｍｕｘ型のＷＤＭ装置を高価なＷＤＭに置き換えることは価格の観点から現実的ではない。従って、既存のＭｕｘ／Ｄｍｕｘ型のＷＤＭを流用しながら、配信サービスを効率よく提供することが、強く求められている。
【００１０】
図４は従来のＭｕｘ／Ｄｍｕｘ型のＷＤＭを使ったドロップ・アンド・コンティニュー機能の１実現例を示すシステムのブロック図である。同図において、４１は多重光信号をチャネル毎に波長分割する波長分割装置（分波器又はＤＭＵＸとも呼ぶ）、４２はＤＭＵＸ４１からの一つのチャンネルの出力光信号をエンドユーザ側と次段ＷＤＭに分離して引き渡すスプリッタ、４３はスプリッタ４３からの出力を増幅するアンプ、４４はアンプ４３の出力光信号を他のアンプ（図示省略）からの光信号とともに多重する多重装置（合波器又はＭＵＸとも呼ぶ）、４５はスプリッタ４２からエンドユーザ側に分岐された光信号を中継するトランスポンダ、４６はトランスポンダ４５からの出力を直交振幅変調してエンドユーザに引き渡すＱＡＭである。
【００１１】
図４に示した従来のシステムによれば、ＤＭＵＸ４１とＭＵＸ４４の間に、光スプリッタ４２を挿入し、波長λXの光信号をドロップし、かつ、同じ波長λXを次ノードへ送信することが可能である。
【００１２】
図５は従来のＭｕｘ／Ｄｍｕｘ型のＷＤＭを使った従来のドロップ・アンド・コンティニュー機能の他の実現例を示すシステムのブロック図である。同図において、５１は多重光信号をチャネル毎に波長分割する波長分割装置（分波器又はＤＭＵＸとも呼ぶ）、５２はＤＭＵＸ５１からエンドユーザ側に出力された光信号を中継するトランスポンダ、５３はトランスポンダ５２からの出力を直交振幅変調してエンドユーザに引き渡すとＱＡＭ、５４はＱＡＭ内又はＱＡＭの入力側で折り返された光信号をトランスポンダ５２を経由して受け取り、他のトランスポンダからの光信号とともに多重する波長多重装置（合波器又はＭＵＸとも呼ぶ）である。
【００１３】
図５において、例（１）のケースでは、ＤＭＵＸ５１から出力されてトランスポンダ５２を経由した信号はエンドユーザに引き渡されると共に、ＱＡＭ５３内で折り返されてトランスポンダ５２を経由してＭＵＸ５４にて多重される。
【００１４】
図５において、例（２）のケースでは、トランスポンダ５２から出力されたデータ（GbE）はＱＡＭ５３に入力される前で折り返されて、トランスポンダ５２を経由してＭＵＸ５４にて多重される。
図６は図５に示した従来のシステムの例（２）の場合を更に詳細に示すブロック図である。同図において、図５における要素と同一物には同一の参照番号を付してある。６１はネットワーク・コントローラ、６２はヘッドエンド局のＷＤＭ装置、６３はディストリビュート局における既存のＷＤＭ装置である。トランスポンダ５２は、ＤＭＵＸ５１からの例えば１０ギガビットの光信号を受信して電気信号に変換する光受信機５２１と、この電気信号を最大８ポートの１ギガビットの信号に分岐するギガビットイーサネット（登録商標）分岐器５２２と、分岐された最大８個のデータを光信号に変換してＱＡＭ５３に送信するＧｂＥ送信機５２３と、ＱＡＭ５３で折り返された光信号を受信して電気信号に変換するＧｂＥ受信機５２４と、ＧｂＥ受信機５２４からの最大８個のデータを多重するＧｂＥ多重器５２５と、多重されたデータを受信して光信号に変換する光受信機５２６とを備えている。図示のように、ＱＡＭ５３内でファイバーループバックが行われている。
【特許文献１】特開２００４−０５６６８５
【特許文献２】特開平０４−１６７６３４号公報
【特許文献３】特開平０９−０３６８３４号公報
【発明の開示】
【発明が解決しようとする課題】
【００１５】
図４に示した従来のシステムでは、ＤＭＵＸ４１とＭＵＸ４４の間にスプリッタ４２を挿入する必要があり、そのスプリッタ４２により光信号の出力レベルが低下するので、この出力レベルの調整のためにアンプ４３をスプリッタ４２とＭＵＸ４４の間に挿入しなければならない。ＷＤＭの場合は、多重される波長の最悪波長が性能を決定する為、そのレベルの低減を解消する為に、その波長にアンプの挿入による調整が必要となる。アンプを挿入することにより、ＯＳＮＲ（Optical Signal Noise Ratio)の劣化が見られること、また波長ごと（チャンネルごと）にアンプが必要となる為、装置コストが非常に高くなるという大きな課題がある。この結果、図４に示したシステムは、実際にはほとんど採用不可能となっているのが実情である。
【００１６】
図５のケース（１）の場合は、信号はＱＡＭ５３内での折り返しとなる為、ＱＡＭの機器構成が高価であるという課題がある。また、トランスポンダ５２にも双方向の回路がフルに必要となる。この結果、故障率もあがり、障害発生率も高くなる。さらに、この機能の実現のためにチャンネル毎にトランスポンダ５２とＱＡＭ５３の間に光ファイバーやケーブルを人手を介して敷設しなければならず、煩雑であるという課題がある。
図５のケース（２）の場合は、トランスポンダ５２の出力データ（例えば、ＧｂＥ）の折り返しを実施するが、それは、ＱＡＭ５３内での折り返し機能を割愛できるという効果が期待されるだけである。この場合、データ(例えば、ＧｂＥ)を終端し新たに送信するプロトコルを、トランスポンダ５２でハンドルせねばならず、トランスポンダ５２に追加機能が必要となるというデメリットがある。また、ケーブルでの折り返しとなる為、工事やマネージが複雑となるという課題がある。
【００１７】
図には示してはいないが、ドロップ・アンド・コンティニュー機能を全く使わないとなると、同じデータをディストリビュート局の数だけのルートを介して同時配信することになり、この結果、設備(波長やデータ)を非効率に使うことになる。即ち、同じデータが複数の波長や複数のデータを占有してしまう。一方、逆に、同じ設備(波長やデータ)を流用しようとすると、時間差で送信することも考えられるが、そのためには、各局でのシグナルのルート変更などの作業が増えること（もしくはＤＡＤＭなどの高機能機器が必要となること）と、各エンドユーザに対して、サービスの提供に時間差(質の不均一)が出るなどの課題がある。
【００１８】
図７は図４〜図６に示した従来のシステムにおける従来の更に別の課題を説明するための図である。同図において、７１〜７４はヘッドエンド局の配下のディストリビュート局に接続されている端末である。例えば、同図の（２）に示すように、端末７１と７２の間ではチャンネルＣｈ１が使用されており、端末７１と７３の間ではチャンネルＣｈ２が使用されており、端末局７３と７４の間ではチャンネルＣｈ３が使用されているとする。この状態で、例えばチャンネルCｈ３のデータをドロップ・アンド・コンティニュー機能で実現しようとすると、端末７３ではチャンネルＣｈ３が使用されているので、この使用中のチャンネルＣｈ３から例えばチャンネルＣｈ２に変更してチャンネルＣｈ３をドロップ・アンド・コンンティニュー機能の実現のために空けなければならない。したがって、端末７３及び７４にとってはこのチャンネル再配置をする必要性があるので、サービスの断が生じたり、チャンネル再配置の工事に誤りが生じる可能性があるので信頼性が悪く、且つチャンネル再配置のための保守コストが高くなるという課題がある。
また、同図の（１）に示すように新たなチャンネルＣｈ４を使用すればドロップ・アンド・コンティニュー機能を実現できるが、使用するチャンネル数が増大するので波長効率が悪く、設備コストが高くなるという課題がある。
【課題を解決するための手段】
【００１９】
上記課題を解決するために、本発明の第１の態様により提供されるものは、波長分割多重装置とエンドユーザにデータ及び信号を供給する信号変換器との間に設けられたドロップ・アンド・コンティニュー装置であって、分波器により分岐された光信号を電気信号に変換する光受信機と、該電気信号を信号変換器を介してエンドユーザに電気信号及び光信号のいずれかで伝送する送信機と、合波器に光信号を供給する光送信機と、光受信機から出力された電気信号を光送信機にループバックさせるループバック処理部とを備えていることを特徴とするドロップ・アンド・コンティニュー装置である。
【００２０】
本発明の第２の態様によれば、光送信機は波長変換手段を備えており、それにより、光受信機が受信した光信号の波長と異なる波長の光信号を合波器に供給する。
【００２１】
本発明の第３の態様によれば、ドロップ・アンド・コンティニュー装置は、光送信機及びギガビットイーサネット（登録商標）送信機と波長分割多重装置との間での信号の送受信を可能とするＣＰＵインターフェースを具備し、それによりヘッドエンド局側の波長分割多重装置からドロップ・アンド・コンティニュー装置を遠隔制御可能にする。
【発明の効果】
【００２２】
本発明の第１の態様によれば、光受信機から出力された電気信号を光送信機にループバックさせることにより、チャンネル毎にアンプを設ける必要がなくなり、この結果、ＯＳＮＲの劣化を防止できると共に装置価格を低減できるので既存のＷＤＭ装置に容易にアドオンすることが可能になるという効果が得られる。
【００２３】
本発明の第２の態様によれば、光送信機に波長変換手段を持たせることにより、波長変換を可能とする。その結果、ＷＤＭ間での波長変換を可能とする付加価値を提供でき、ネットワーク全体の設備の効率化を図ることができる。特に、最近みられるアプリケーション(エンドユーザに提供するサービス)の複数化をひとつのネットワークで求められるＷＤＭネットワークでは、各局間でのデータ容量や波長割り当てが設備の効率化の最大の鍵であり、波長の節約は設備コストを大幅に削減できる。
【００２４】
本発明の第３の態様によれば、ＣＰＵインターフェースを具備し、既存ＷＤＭ装置との間をＬＡＮなどで接続させ、ＯＳＣやＤＣＣを共有して、遠隔ネットワーク・コントローラからの操作を可能とする。これにより、波長変換手段の波長操作や、アラームの検出などが可能となる。
【００２５】
上記の機能を、スタンドアローンボードとすることにより、どのようなＭｕｘ／Ｄｍｕｘ型ＷＤＭ装置にもアドオンで、容易に、映像や音声配信に最適な機能を提供することが可能になる。
【００２６】
さらに、このような機能を持つ新型ユニットを、トランスポンダのラインアップに追加させて、Ｍｕｘ／Ｄｍｕｘ型装置に一体化することも可能になる。
【発明を実施するための最良の形態】
【００２７】
図８は本発明の実現例によるスタンドアローン型のドロップ・アンド・コンティニュー装置の構成を示すブロック図である。同図において、８１はネットワーク・コントローラ、８２はヘッドエンド局のＷＤＭ装置、８３はディストリビュート局における既存のＷＤＭ装置（波長分割多重装置とも呼ぶ）、８４は本発明の実施例により設けられたドロップ・アンド・コンティニュー装置、８５は直交振幅変調器である。
【００２８】
ＷＤＭ装置８３はヘッドエンド８２からの光信号を例えば１０ギガビットの光信号に分岐するＤＭＵＸ（分波器とも呼ぶ）８３１と、ドロップ・アンド・コンティニュー装置８４及び他のチャンネルのドロップ・アンド・コンティニュー装置からの光信号を多重するＭＵＸ（合波器とも呼ぶ）８３２と、ＬＡＮインターフェース８３３とを備えている。
【００２９】
ドロップ・アンド・コンティニュー装置８４は、ＤＭＵＸ８３１からの例えば１０ギガビットの光信号を受信して電気信号に変換する光受信機８４１と、この電気信号をループバックさせるループバック処理部８４２と、光受信機８４１の出力を各ポートで１ギガビットの最大８ポートに分岐するギガビットイーサネット（登録商標）分岐器８４３と、分岐された最大８個のデータを光信号に変換してＱＡＭ８５に送信するＧｂＥ送信機８４４と、ループバック処理部８４２によりループバックされた電気信号のデータを受信して光信号に変換する光受信機８４５と、ＬＡＮインターフェース８４６と、ＣＰＵインターフェース８４７と、ＦＰＧＡ（Field Programmable Gate Array）８４８とを備えている。
【００３０】
ＣＰＵインターフェース８４７は光受信機８４１、ループバック処理部８４２、ＧｂＥ送信機８４４、光送信機８４５、及びＬＡＮインターフェース８４６に接続されている。ＬＡＮインターフェース８４６はＷＤＭ装置８３内のＬＡＮインターフェース８３３と接続されている。
【００３１】
動作において、光受信機８４１はＤＭＵＸ８３１から１０ギガビットの光信号λXを受信し、それを電気信号に変換する。その電気信号はＧｂＥ分岐器８４３により最大８個の信号に分岐されるとともに、ループバック処理部８４２においてループバックされて光送信機８４５に入力される。
【００３２】
ＧｂＥ分岐器８４３では、ＱＡＭ８５などによりクライアントが要求する光又は電気のデータ(例では、GbEデータ)にブレークダウンして、変換しＧｂＥ送信機８４４によりＱＡＭ８４に向けて送信する。ループバック処理部８４２において折り返された信号は、光送信機８４５内のＦＢＴＬ（Full Band Tunable Laser Diode）８４９によって、ＣＰＵインターフェース８４からのコントロールに従い、λｙに波長変換され送信される。
【００３３】
ＣＰＵインターフェース８４７は、ＬＡＮインターフェース８４６を介してＷＤＭ装置８３とコミュニケートし、ＤＣＣ（Data Communication Channel)， ＯＳＣ(Optical Superviser Channel)を共有することにより、ネットワーク・コントローラ８１から遠隔的にドロップ・アンド・コンティニュー装置８４の監視や管理を行うことが可能になる。
【００３４】
ＣＰＵインターフェース８４７は、各種ブロックとインターフェースを持ち、コントロールや監視を実施する。
ドロップ・アンド・コンティニュー装置８４は、スタンドアローンとして実現可能である。その場合、どのような既存ＷＤＭ装置にも、容易にアドオンできる。
また、ドロップ・アンド・コンティニュー装置８４は、ＷＤＭ装置８３のトランスポンダのユニットラインアップとして一体化して実現することも可能である。
【００３５】
図９は図８におけるＦＢＴＬ（Full Band Tunable Laser Diode）８４９による波長変換が可能になったことにより得られる効果を説明する図である。同図において、ヘッドエンドのＷＤＭ装置８２の配下にディストリビュート局Ａ，Ｂ，Ｃ，Ｄがある。ディストリビュート局Ａの配下の端末９１とディストリビュート局Ｂの配下の端末９２の間ではチャンネルＣｈ１が使用されており、ディストリビュート局Ａの配下の端末９１とディストリビュート局Ｃの配下の端末９３の間ではチャンネルＣｈ２が使用されており、ディストリビュート局Ａの配下の端末９３とディストリビュート局Ｄの配下の端末９４の間ではチャンネルＣｈ３が使用されているとする。この状態で、ドロップ・アンド・コンンティニュー機能をアドオンしようとすると、図６に示したトランスポンダを用いた従来のシステムでは、前述したように、別用途で使用済みのチャンネルを変更してドロップ・アンド・コンンティニュー用のチャンネルを確保するか、使用されていないチャンネルをドロップ・アンド・コンンティニュー用のチャンネルとして用いる必要があった。
【００３６】
これに対し、本発明の実施例によれば、ディストリビュート局ＡとＢの間では別途使用済みではないチャンネル、例えば、Ｃｈ３をドロップ・アンド・コンンティニュー用として使用し、ディストリビュート局ＢとＣの間では別途使用済みではないチャンネル、例えば、Ｃｈ１をドロップ・アンド・コンンティニュー用として使用し、ディストリビュート局ＣとＤの間では別途使用済みではないチャンネル、例えば、Ｃｈ２をドロップ・アンド・コンンティニュー用として使用する。これを実現するために、ドロップ・アンド・コンンティニュー装置８４−１では入力光信号のＣｈ３の波長を変換して出力光信号のＣｈ１の波長にしており、ドロップ・アンド・コンンティニュー装置８４−２では入力光信号のＣｈ１の波長を変換して出力光信号のＣｈ２の波長にしている。これにより、チャンネルは変更されるが、ループバックされた信号の中身は変更されず、ドロップ・アンド・コンンティニュー機能が実現できる。
【００３７】
このように、本発明の実施例によれば、ケーブルテレビやビデオ配信ネットワークにドロップ・アンド・コンンティニュー機能の追加時に、波長配置設計をディストリビュート局間で実行でき、ネットワーク全体での設計が不要となり、波長を効率よく使用できる。
【００３８】
以上の実施例の説明では、ＤＭＵＸ８３１から出力される光信号は１０ギガビットでＧｂＥ分機器８４３では１ギガビットの光信号に分岐する場合を例として説明したが、本発明はこれに限定されるものではなく、ＤＭＵＸ８３１から出力される光信号の波長は任意であり、ＧｂＥ分岐器８４３から出力される光信号の波長も任意である。また、ＧｂＥ分岐器８４３及びＧｂＥ送信機に替えて他の形式の分岐器及び送信機であってもよい。さらに、電気信号から光信号への変換はＧｂＥ分岐器８４３で行っても、ＧｂＥ送信機８４４で行ってもよい。さらに、ＱＡＭ８５に替えてエンドユーザ端末が受け入れ可能な信号に変換する他の信号変換機、例えば、ソネット多重装置等でもよい。
【産業上の利用可能性】
【００３９】
本発明により、Ｄｍｕｘ／Ｍｕｘ型波長分割多重（ＷＤＭ）装置に、映像・音声・エンターテインメント配信に最適な機能と追加付加価値（低コスト、波長変換によるネットワーク最適化、遠隔コントロール、マネージなど）を容易にアドオンできるドロップ・アンド・コンティニュー装置が提供される。また、ケーブルテレビやビデオ配信ネットワークにドロップ・アンド・コンンティニュー機能の追加時に、波長配置設計をディストリビュート局間で実行でき、ネットワーク全体での設計が不要となり、波長を効率よく使用できる。
【図面の簡単な説明】
【００４０】
【図１】多数のケーブルテレビ局を運営するＭＳＯ(Multi Service operator)や、ケーブルテレビ会社などが提供する映像・音声・エンターテイメントサービスを実現するケーブルテレビ、ビデオ配信ネットワークの概要を説明する図である。
【図２】各ディストリビュート局が持つべきドロップ・アンド・コンティニュー機能の説明図である。
【図３】図２に示したドロップ・アンド・コンティニュー機能の実現のために、最近主流となってきたメトロＷＤＭを使ったケーブルテレビ、ビデオ配信ネットワークリングネットワークの概略構成を示すブロック図である。
【図４】従来のＭｕｘ／Ｄｍｕｘ型のＷＤＭを使った従来のドロップ・アンド・コンティニュー機能の１実現例を示すシステムのブロック図である。
【図５】従来のＭｕｘ／Ｄｍｕｘ型のＷＤＭを使った従来のドロップ・アンド・コンティニュー機能の他の実現例を示すシステムのブロック図である。
【図６】図５に示した従来のシステムの例（２）の場合を更に詳細に示すブロック図である。
【図７】図４〜図６に示した従来のシステムにおける従来の更に別の課題を説明するための図である。
【図８】本発明の実現例によるスタンドアローン型のドロップ・アンド・コンティニュー装置の構成を示すブロック図である。
【図９】図８におけるＦＢＴＬ（Full Band Tunable Laser Diode）８４９による波長変換が可能になったことにより得られる効果を説明する図である。
【符号の説明】
【００４１】
８３    ＷＤＭ装置
８３１    ＤＭＵＸ
８３２    ＭＵＸ
８４    ドロップ・アンド・コンンティニュー装置
８４１    光受信機
８４２    ループバック処理部
８４５    光送信機
８４９    ＦＢＴＬ（Full Band Tunable Laser Diode）
８４６    ＬＡＮインターフェース
８４７    ＣＰＵインターフェース
【図１】
2006287618.tif 000003
【図２】
2006287618.tif 000004
【図３】
2006287618.tif 000005
【図４】
2006287618.tif 000006
【図５】
2006287618.tif 000007
【図６】
2006287618.tif 000008
【図７】
2006287618.tif 000009
【図８】
2006287618.tif 000010
【図９】
2006287618.tif 000011